(57)【要約】【課題】医療スケジュールに関わる誘導作業の負担を軽減させること。【解決手段】医療ガイダンスサーバ３０は、医療ガイダンスクライアント４０を介して、被検者１ごとの医療スケジュールを被検者１に提示して、被検者１の医療作業場所への誘導を支援する。また、医療ガイダンスサーバ３０は、医療ガイダンスクライアント４０を介して、従事者２から入力された医療作業に関する進捗情報を受信して、医療ガイダンスサーバ３０の管理している医療スケジュールに反映することで、最新の医療スケジュールを提示する。さらに、医療ガイダンスクライアント４０である携帯装置は、被検者１の緊急時の従事者２への連絡手段を提供し、医療作業場所に関する見取り図を提示して、被検者１の誘導を支援する。【選択図】　　　図１
2004110238.tif 000002
【特許請求の範囲】
【請求項１】
医療作業に関する場所と時刻を含む医療スケジュールを格納する医療ガイダンスサーバ装置と、該医療ガイダンスサーバ装置と通信可能な医療ガイダンスクライアント装置を含んで構成される医療ガイダンスシステムにおける医療ガイダンスサーバ装置であって、前記医療ガイダンスサーバ装置は、前記医療スケジュールを、前記医療ガイダンスクライアント装置に通知して被検者を誘導することを特徴とする医療ガイダンスサーバ装置。
【請求項２】
前記医療ガイダンスサーバ装置は、格納する前記医療スケジュールを、前記医療ガイダンスクライアントから通知される医療作業の進捗情報で更新する手段を有することを特徴とする請求項１に記載の医療ガイダンスサーバ装置。
【請求項３】
医療作業に関する場所と時刻を含む医療スケジュールを格納する医療ガイダンスサーバ装置と、該医療ガイダンスサーバ装置と通信可能な医療ガイダンスクライアント装置を含んで構成される医療ガイダンスシステムにおける医療ガイダンスクライアント装置であって、前記医療ガイダンスクライアント装置は、前記被検者によって保持される携帯装置であり、該携帯装置は、医療従事者の管理する他の前記医療ガイダンスクライアント装置への連絡手段を有することを特徴とする医療ガイダンスクライアント装置。
【請求項４】
医療作業に関する場所と時刻を含む医療スケジュールを格納する医療ガイダンスサーバ装置と、該医療ガイダンスサーバ装置と通信可能な医療ガイダンスクライアント装置を含んで構成される医療ガイダンスシステムにおける医療ガイダンスプログラムであって、前記医療ガイダンスサーバ装置に、前記医療スケジュールを、前記医療ガイダンスクライアント装置に通知させて被検者を誘導する機能を有することを特徴とする医療ガイダンスプログラム。
【請求項５】
医療作業に関する場所と時刻を含む医療スケジュールを格納する医療ガイダンスサーバ装置と、該医療ガイダンスサーバ装置と通信可能な医療ガイダンスクライアント装置を含んで構成される医療ガイダンスシステムにおける医療ガイダンスプログラムが記憶された記憶媒体であって、請求項４に記載の医療ガイダンスプログラムを記録した記憶媒体。
【請求項６】
医療作業に関する場所と時刻を含む医療スケジュールを格納する医療ガイダンスサーバ装置と、該医療ガイダンスサーバ装置と通信可能な医療ガイダンスクライアント装置を含んで構成される医療ガイダンスシステムにおける医療ガイダンスの表示方法であって、前記ガイダンスクライアント装置は、次の医療作業に関する場所および時刻、ならびに、次に行われる医療作業までの待ち時間および待機方法を含めて表示することを特徴とする医療ガイダンスの表示方法。
【請求項７】
前記医療作業に関する場所の表示は、医療施設と、被検者の位置とを示す見取り図表示とすることを特徴とする請求項６に記載の医療ガイダンスの表示方法。
【請求項８】
前記医療ガイダンスの表示は、行方向を被検者とし、列方向を医療作業または医療作業間の待機とするガントチャート表示とすることを特徴とする請求項６または請求項７に記載の医療ガイダンスの表示方法。
【発明の詳細な説明】
【０００１】
【発明の属する技術分野】
本発明は、医療ガイダンスシステムにおける医療ガイダンスサーバ装置、医療ガイダンスクライアント装置、医療ガイダンスプログラム、医療ガイダンスプログラムを記録した記憶媒体、ならびに、医療ガイダンスの表示方法に関する。
【０００２】
【従来の技術】
診察や検診などの医療作業の際に、医者や看護婦などの従事者は、自らが伴って医療作業を受ける被検者を、医療作業の行われる医療施設内の場所に誘導することが多い。従事者の誘導によって、被検者は、医療施設内を迷うことなく、医療スケジュールで規定された時間および場所にて医療作業を受けることができる。
【０００３】
なお、従事者自らが伴って被検者を誘導することは、従事者に身体的な負担を強いる。ここで、身体的な負担は、例えば、被検者がＰＥＴ（Ｐｏｓｉｔｒｏｎ　Ｅｍｉｓｓｉｏｎ　Ｔｏｍｏｇｒａｐｈｙ）、つまり、陽電子放射断層撮影（例えば、非特許文献１参照。）によって放射性薬剤を体内に投与されている場合、従事者は、被検者に近づくことによって、被検者体内の放射性薬剤から発せられる放射線により被曝してしまうという身体的な負担である。なお、ＰＥＴによるがん検診で用いられる放射性薬剤としては、１８Ｆ−ＦＤＧ（Ｆｌｕｏｒｏ　Ｄｅｏｘｙ　Ｇｌｕｃｏｓｅ）が知られており、１８Ｆの半減期は約１１０分と短い。よって、半減期が短いので、迅速に被検者を誘導する必要があり、従事者への負担も大きくなる。
【０００４】
【非特許文献１】
先端医療技術研究所発行「ＰＥＴ通信１９９８ＷＩＮＴＥＲ　Ｎｏ．２５」、１９９８年、ｐ．１５〜１７
【０００５】
【発明が解決しようとする課題】
医療スケジュールに関わる従事者の誘導は、上述した従事者の身体的負担に加え、医療経営者および被検者にも負担を強いる。
【０００６】
まず、医療管理者は、従事者に誘導する作業を行わせるので、その作業に関する従事者の増員が必要とされるために、コストの負担が増加してしまう。
【０００７】
次に、被検者は、従事者の誘導や医療作業など従事者とともにいる間は、医療スケジュールに沿った行動をしやすいが、医療作業後の待機時間には、医療スケジュールの確認の手間がかかる。例えば、所定の撮影室でカメラ撮影をする予定の被検者が、撮影の順番を待っているとする。撮影室を管理する従事者は、順番待ちの人数から、おおよその待ち時間を予想して、被検者に知らせることが考えられる。その場合、被検者の順番の変更や、撮影時間の遅れなどにより、予想された待ち時間と、実際の待ち時間が大きく異なることもありうる。よって、被検者は、待ち時間などの医療スケジュールを確認するために、撮影室の従事者に問い合わせる手間がかかってしまう。
【０００８】
そこで本発明は、上記を鑑み、医療スケジュールに関わる誘導作業を支援することにより、医療管理者、従事者、ならびに、被検者の負担を軽減させる医療ガイダンスシステムを提供することを主な目的とする。
【０００９】
【課題を解決するための手段】
本発明は、前記目的を達成するために創案されたものであり、医療作業に関する場所と時刻を含む医療スケジュールを格納する医療ガイダンスサーバ装置と、該医療ガイダンスサーバ装置と通信可能な医療ガイダンスクライアント装置を含んで構成される医療ガイダンスシステムにおける医療ガイダンスサーバ装置であって、前記医療ガイダンスサーバ装置は、前記医療スケジュールを、前記医療ガイダンスクライアント装置に通知して被検者を誘導することを特徴とする。かかる構成によれば、被検者は、医療ガイダンスクライアント装置を参照することで、医療スケジュールを確認できる。よって、従事者の誘導の手間が省ける。その他の解決手段については、以下の実施形態で詳細に説明するものとする。
【００１０】
【発明の実施の形態】
以下に、本発明が適用される医療ガイダンスシステムの一実施形態について、図面を参照して詳細に説明する。まず、本実施形態の医療ガイダンスシステムの構成について、図１〜図３を参照して説明する。
【００１１】
図１に示す医療ガイダンスシステムは、医療作業に関する手順を提示することで、効率的な医療作業を支援する機能を有する。ここで、医療ガイダンスシステムは、診察や検診などの医療作業を受ける対象である被検者１と、被検者１に医療作業を行う医者や看護婦などの従事者２とにより行われる医療作業を支援する。なお、医療作業は、例えば、薬剤投与、撮影、ならびに、面談であり、被検者１は、一連の医療作業を従事者２から受ける。このため、医療施設８に設置された医療ガイダンスシステムは、医療スケジュールを管理する医療ガイダンスサーバ３０と、被検者１および従事者２に医療スケジュールをアクセスさせる医療ガイダンスクライアント４０と、医療ガイダンスシステムの構成要素を接続するネットワーク９とを含んで構成される。医療ガイダンスシステムは、医療ガイダンスクライアント４０を通じて、被検者１に、医療スケジュールを確認させ、ならびに、被検者１の発作などの緊急時に被検者１から従事者２に連絡させる。また、医療ガイダンスシステムは、医療ガイダンスクライアント４０を通じて、従事者２に、医療進捗状況の入力および確認をさせる。
【００１２】
次に、医療ガイダンスシステムが配置される医療施設８の構造について、図２を参照して説明する。医療施設８は、医療作業が行われる医療作業場所と、医療作業が行われない間に被検者１を待機させる医療待機場所とを有する。ここで、医療作業場所は、例えば、医療に関する手続きが行われる受付１１、被検者１に放射性薬剤を投与するなどの処置が行われる処置室１２、ＰＥＴ機器１３Ａなどを用いて撮影が行われる撮影室１３、問診や診断後の面談が行われる問診室１４、ならびに医療機器の操作や読影が行われる読影室１５がある。また、医療待機場所は、例えば、薬剤投与後の被検者１の安静やカメラ撮影後の被検者１の回復などが行われる待合室２１、被検者１が安静待機をする場所である安静室２２、被検者１に各部屋間を移動させる廊下２３、ならびに、撮影前の被検者１が用を足すのに使用するトイレ２４がある。そして、医療ガイダンスサーバ３０は、例えば、待合室２１に設置される。さらに、医療ガイダンスクライアント４０は、例えば、待合室２１などに設置されて医療スケジュールの確認をさせる進捗状況表示パネル４１、医療作業場所（処置室１２など）に設置されて医療作業の進捗状況を従事者に入力させる進捗状況入力装置４２、ならびに、被検者１に保持させて随時被検者１に使用される携帯装置４３がある。
【００１３】
さらに、医療ガイダンスシステムに、スピーカ５１およびモニタカメラ５２を付加した構成例を、図３を用いて説明する。図３に示す医療ガイダンスシステムは、図２の構成に加え、従事者２から被検者１に医療スケジュールなどを通知させる際に使用されるスピーカ５１と、従事者２に被検者１の状態を監視させるモニタカメラ５２とを含めて構成される。スピーカ５１およびモニタカメラ５２は、医療施設８の内部に設置される。図３は、医療作業場所および医療待機場所にスピーカ５１およびモニタカメラ５２が設置される例を示す。この構成により、従事者２は、進捗状況入力装置４２を通じて、被検者１をモニタカメラ５２で監視し、かつ、従事者２にスピーカ５１を用いて、医療スケジュールなどを連絡することができる。
【００１４】
そして、本実施形態の医療ガイダンスシステムに使用される各装置について、図４〜図７を参照して説明する。
【００１５】
まず、医療ガイダンスサーバ３０の構成について、図４を参照して説明する。医療ガイダンスサーバ３０は、医療スケジュールを管理する機能を有する。このため、医療ガイダンスサーバ３０は、医療スケジュールに関する被検者１への提示などの処理を行う医療スケジュール処理部３１と、医療スケジュールを格納する医療スケジュール格納部３２と、医療施設８に配置された医療設備に関する情報を格納する医療設備情報格納部３３と、医療ガイダンスシステムの他装置とのデータのやりとりを行う入出力部３９とを含んで構成される。
【００１６】
次に、進捗状況表示パネル４１の構成について、図５を参照して説明する。進捗状況表示パネル４１は、被検者１に医療スケジュールの確認をさせる機能を有する。このため、進捗状況表示パネル４１は、医療スケジュール確認部６１を含んで構成される。ここで、医療スケジュール確認部６１が被検者１に提示する医療スケジュールの表示形式の一例を説明する。医療スケジュール確認部６１は、被検者１を特定する被検者名６２と、被検者１の次の医療作業を示す次の処理内容６３と、被検者１の次の医療作業の場所を示す次の医療作業場所６４と、被検者１の次の医療作業までの待ち時間を示す次の処理までの待ち時間６５と、被検者１の次の医療作業までの待機方法を示す待機方法６６とを含んで被検者１に医療スケジュールを提示する。ここで、待機方法６６は、薬剤投与の後などで安静を必要とする際の安静による待機、ならびに、特に待機の方法を指定しない通常の待機などがある。
【００１７】
そして、進捗状況入力装置４２の構成について、図６を参照して説明する。進捗状況入力装置４２は、医療作業の進捗状況を従事者２に入力させる機能を有する。このため、進捗状況入力装置４２は、確認または入力の対象となる被検者１を特定する番号を表示する被検者番号表示部７１と、被検者番号表示部７１に表示された被検者１に関する誤った入力がなされたときに警告する誤入力警報表示部７２と、モニタカメラ５２の撮影画像を表示するモニタカメラ表示部７３と、医療ガイダンスサーバ３０によって管理されている医療スケジュールを確認させる医療スケジュール確認部７４と、被検者番号表示部７１に表示される番号を入力させる被検者番号入力部７６と、被検者番号表示部７１に表示される番号に関する被検者１を呼び出す被検者呼出ボタン７７と、医療作業の終了を医療ガイダンスサーバ３０に通知するために使用される処置終了ボタン７８と、スピーカ５１に音声信号を送信するためのスピーカ用マイク７９とを含んで構成される。ここで、誤入力警報表示部７２が警告する誤った入力とは、例えば、医療スケジュールは、所定の医療作業を１回行うことを規定している際に、進捗状況入力装置４２に、所定の医療作業が行われたことを２回以上入力されることである。なお、進捗状況入力装置４２は、ネットワーク９を介して医療ガイダンスサーバ３０にアクセスすることで、医療スケジュール確認部７４を用いて、進捗状況表示パネル４１と同等の医療スケジュールの確認手段を提供する。
【００１８】
さらに、携帯装置４３の構成について、図７を参照して説明する。携帯装置４３は、被検者１に保持させて随時被検者１に使用される。このため、携帯装置４３は、医療施設に関する情報を表示する医療施設表示部８１と、医療ガイダンスサーバ３０によって管理されている医療スケジュールを確認させる医療スケジュール確認部８２と、緊急時に従事者２に連絡するための従事者連絡部８３とを含んで構成される。ここで、医療施設表示部８１は、医療施設に関する情報として、例えば、医療施設の地図（図２参照）、ＧＰＳ（Ｇｌｏｂａｌ　Ｐｏｓｉｔｉｏｎｉｎｇ　Ｓｙｓｔｅｍ）などの手段により取得された被検者１の地図上の位置、ならびに、医療スケジュールに規定されている被検者１に関する次の医療作業の地図上の位置を、被検者１に提示する。なお、携帯装置４３は、ネットワーク９を介して医療ガイダンスサーバ３０にアクセスすることで、医療スケジュール確認部８２を用いて、進捗状況表示パネル４１と同等の医療スケジュールの確認手段を提供する。また、従事者連絡部８３は、例えば、１つのボタンによる構成が考えられるが、被検者１による操作のしやすさによって、連絡内容ごとの複数のボタンによる構成とすること、または、マイクによる連絡手段の構成とすることも可能である。これらの構成の種別は、例えば、被検者１が高齢の場合は操作を単純化するために１つのボタンによる構成を採用するなど、被検者１ごとに異なった構成としてもよい。
【００１９】
また、本実施形態の医療ガイダンスサーバ３０が管理する医療スケジュールについて、図８〜図１０を参照して説明する。
【００２０】
まず、医療作業の前準備として、医療ガイダンスサーバ３０に登録される医療スケジュールについて、図８を参照して説明する。医療スケジュールは、医療作業または医療作業間の待機を、被検者１ごとに時系列に規定するものである。医療スケジュールの編集または格納方式は、例えば、図８で示すような、行方向（縦方向）を被検者１とし、列方向（横方向）を時刻とするガントチャートである。このガントチャートは、右に行くほど時刻が経過したことを示す時刻表示１０１と、各被検者１の医療作業を矩形のセルで示す医療作業表示１１１と、各被検者の医療作業間の待機を矩形のセルで示す医療待機表示１１２とを含んで構成される。なお、医療作業表示１１１および医療待機表示１１２内の各セルについて、左端が開始時刻を示し、右端が終了時刻を示す。また、図８では、医療作業表示１１１と医療待機表示１１２とを別々の表示欄に表示させたが、これらは時間的に重複しないので、共通の表示欄としてもよい。
【００２１】
次に、各被検者１の医療作業が開始され、医療ガイダンスサーバ３０に各被検者の医療進捗状況が付される医療スケジュールについて、図９および図１０を参照して説明する。図９および図１０は、図８の構成に加えて、各被検者１の医療スケジュールの進捗状況を示す医療進捗表示１１３を含んで構成される例を図示する。図９は、セルを単位として、医療作業または医療作業間の待機の実行を契機として、その実行に関するセルの右端より右側に進捗状況を示す印を、医療進捗表示１１３内に表示させる。これにより、被検者１および従事者２は、進捗状況を示す印より左側にある医療作業または医療作業間の待機が既に実行されたことを、確認することができる。
【００２２】
一方、図１０は、医療進捗表示１１３に、待ち時間を表示する例である。医療進捗表示１１３内に表示された待ち時間を示す矩形のセルは、その左端が現在の時刻を示し、その右端が次に行われる医療作業の開始時刻を示す。よって、被検者１は、このセルを参照することで、待ち時間の長さを確認することができる。なお、医療ガイダンスシステムは、図９および図１０で示したガントチャートについて、医療ガイダンスクライアント４０を用いて、適宜被検者１および従事者２に確認させる。
【００２３】
以上、本実施形態の医療ガイダンスシステムに係る構成について説明した。次に、本実施形態の医療ガイダンスシステムの動作について、図１〜図１０を適宜参照しつつ、図１１に沿って説明する。
【００２４】
まず、前処理である医療スケジュールの設定（Ｓ１０１）について、説明する。医療ガイダンスシステムは、従事者２に、医療スケジュール（図８参照）を作成させ、作成された医療スケジュールを、医療ガイダンスサーバ３０に設定させる。医療ガイダンスサーバ３０は、設定された医療スケジュールについて、医療スケジュール格納部３２に格納するとともに、医療スケジュールに含まれる医療設備に関する情報を医療設備情報格納部３３に格納する。ここで、医療設備に関する情報は、例えば、被検者Ａがカメラ撮影に使用する撮影室の部屋番号である。
【００２５】
次に、医療待機情報の被検者１への提示（Ｓ１０２）について、説明する。医療ガイダンスシステムは、医療ガイダンスクライアント４０を用いて、医療スケジュールに関する医療待機情報を、従事者２に確認させる（図５参照）。ここで、医療待機情報は、医療作業を行うための待ち時間６５と、待機方法６６とを含んで構成される。そして、待機方法６６は、薬剤投与の後などで安静を必要とする際の安静による待機、特に待機の方法を指定しない通常の待機、ならびに、被検者１の医療作業が完了した後の帰宅指示がある。なお、被検者１は、医療待機中には従事者２の直接の管理から外れるので、発作などの緊急状態に陥る場合も考えられる。その場合、医療ガイダンスシステムは、被検者１に、携帯装置４３の従事者連絡部８３を用いて、従事者２に緊急の旨を連絡させる手段を提供する。
【００２６】
ここで、被検者１に関する医療手順が終了し、待機方法６６として帰宅指示がされた場合（Ｓ１０３、Ｙｅｓ）、医療ガイダンスシステムは、被検者１に関する処理を終了する。
【００２７】
さらに、医療作業情報の被検者１への提示（Ｓ１０４）について、説明する。医療ガイダンスシステムは、医療ガイダンスクライアント４０を用いて、医療スケジュールに関する医療作業情報を、従事者２に確認させる（図５参照）。ここで、医療作業情報は、次の処理内容６３、次の医療作業場所６４を含んで構成される。なお、次の医療作業場所６４は、図５に示すように文字形式で提示する替わりに、携帯装置４３の医療施設表示部８１を用いて、図２に示す見取り図形式で提示してもよい。これにより、被検者１は、医療ガイダンスクライアント４０によって、次の処理内容６３および次の医療作業場所６４を効率よく確認することができ、従事者２による次の医療作業場所６４への誘導の手間を省くことができる。
【００２８】
そして、医療進捗情報の受信（Ｓ１０５）について、説明する。医療ガイダンスシステムは、従事者２に、進捗状況入力装置４２を用いて、被検者１の医療作業に関する医療進捗情報を入力させる。入力された医療進捗情報は、進捗状況入力装置４２から、ネットワーク９を介して、医療ガイダンスサーバ３０によって受信される。受信された医療進捗情報は、医療スケジュール格納部３２に登録される。なお、医療進捗情報は、例えば、被検者１に関する医療作業の正常終了である。
【００２９】
ここで、医療進捗情報の入力を、より具体的に説明する。まず、進捗状況入力装置４２は、従事者２に、被検者番号入力部７６を用いて、医療作業の進捗を通知する対象となる被検者１の識別番号を入力させ、被検者番号表示部７１を用いて、入力された被検者番号を確認させる。次に、進捗状況入力装置４２は、従事者２に、処置終了ボタン７８を押させる。処置終了ボタン７８の押下を契機に、被検者番号表示部７１に表示された被検者１についての医療作業の終了の旨が、進捗状況入力装置４２から医療ガイダンスサーバ３０に通知される。
【００３０】
そして、医療スケジュールの更新（Ｓ１０６）について説明する。医療ガイダンスサーバ３０は、医療スケジュール格納部３２を、医療作業の終了の旨に関する通知によって、更新する。具体的には、医療ガイダンスサーバ３０は、通知元の進捗状況入力装置４２から受信した情報により、医療設備情報格納部３３を参照して、通知元の進捗状況入力装置４２に関する医療作業場所を特定する。そして、医療ガイダンスサーバ３０は、医療スケジュールの対象となる複数の被検者１の内、通知元の医療作業場所を使用する予定の被検者１を選択する。さらに、医療ガイダンスサーバ３０は、選択した被検者１に関する被検者番号を、進捗状況入力装置４２に通知するとともに、医療スケジュール処理部３１を用いて、医療スケジュール格納部３２を更新する。ここで、更新は、医療ガイダンスサーバ３０に通知された被検者１に関する医療スケジュールの進捗を１作業分進めることである。以上により、所定の被検者１に関する１回の医療作業の誘導処理について、説明した。医療ガイダンスシステムは、所定の被検者１に関する次の医療作業の誘導処理を行うため、処理を医療待機情報の被検者１への提示（Ｓ１０２）に戻す。
【００３１】
ここで、従事者２による次の被検者１の呼び出し処理について、補足説明をする。まず、医療ガイダンスサーバ３０による医療スケジュールの更新（Ｓ１０６）によって、次に医療作業を行う予定の被検者１に関する識別番号の通知を受けた進捗状況入力装置４２は、被検者番号表示部７１に、通知された被検者番号を表示する。そして、医療ガイダンスシステムは、従事者２に、被検者呼出ボタン７７を用いて、次に医療作業を行う予定の被検者１を呼び出させる。被検者呼出ボタン７７の押下を契機に、医療ガイダンスクライアント４０を用いて、被検者１の呼び出しが行われる。なお、進捗状況入力装置４２は、医療ガイダンスサーバ３０を介さずに、被検者１と連絡する手段も提供している。連絡手段は、例えば、被検者１の状態を映像で確認させるモニタカメラ表示部７３、ならびに、被検者１に次に医療作業を行う旨などを音声で通知するスピーカ用マイク７９である。
【００３２】
以上、本発明の一実施形態について説明した。かかる構成によれば、被検者は、医療ガイダンスクライアント装置を参照することで、医療スケジュールを確認できる。よって、従事者の誘導の手間が省ける。その結果、従事者は、被検者を誘導するために、被検者のそばにいる必要がなくなる。よって、従事者は、放射性薬剤などの影響を、この薬剤を投与された被検者から受けなくて済む。また、従事者は、医療作業の進捗状況を、医療ガイダンスクライアント装置を介して、医療ガイダンスサーバ装置に通知することができる。それにより、医療ガイダンスサーバ装置は、最新の進捗状況を反映させて、被検者を誘導することができる。よって、複数の医療作業間の進捗状況の伝達が効率よく行われる。さらに、被検者は、発作などの緊急時に、随時従事者に連絡することができる。その結果、従事者は、被検者からの連絡を受け、すばやい対応をすることができる。また、従事者は、モニタカメラを用いて被検者の様子を随時確認し、スピーカを用いて被検者に指示できる。それにより、被検者が勝手にうろついてしまうことを防止できる。
【００３３】
なお、請求項に記載の医療ガイダンスプログラムは、医療ガイダンスサーバ３０、および、医療ガイダンスクライアント４０によって実行され、図１１に示す処理を行うものである。また、請求項に記載の医療ガイダンスプログラムを記録した記憶媒体は、医療ガイダンスサーバ３０、および、医療ガイダンスクライアント４０によって、読み込まれる。そして、読み込まれた記憶媒体に記録された医療ガイダンスプログラムは、医療ガイダンスサーバ３０、および、医療ガイダンスクライアント４０によって実行され、図１１に示す処理を行う。
【００３４】
以上説明した本発明は、発明の趣旨を逸脱しない範囲で広く変形実施することができる。
【００３５】
例えば、一実施形態は、医療ガイダンスシステムの設置される医療施設８が、１つの建造物から構成される例を示したが、複数の建造物から構成される場合についても、医療ガイダンスシステムを設置することができる。その場合、医療ガイダンスサーバ３０と医療ガイダンスクライアント４０とを接続するネットワーク９は、ＬＡＮ（Ｌｏｃａｌ　Ａｒｅａ　Ｎｅｔｗｏｒｋ）の替わりに、ＷＡＮ（Ｗｉｄｅ　Ａｒｅａ　Ｎｅｔｗｏｒｋ）を用いる。
【００３６】
また、医療ガイダンスシステムと、その構成要素を接続するネットワーク９についての、サービス構築形態については、任意に実現可能である。例えば、所定のシステム構築事業者が、医療ガイダンスシステムと、ネットワーク９との両方を構築して提供することも可能である。また、所定のシステム構築事業者が、自ら構築した医療ガイダンスシステムに、別のネットワーク事業者が構築するネットワーク９を付して、提供してもよい。
【００３７】
さらに、医療ガイダンスシステムと、その構成要素を接続するネットワーク９についての、サービス提供形態についても、使用期間を規定する賃貸形式、または、システムに利用される機器を売却する販売形式から、任意に実施可能である。例えば、医療ガイダンスシステムは販売形式とし、ネットワーク９は賃貸形式としてもよい。また、医療ガイダンスシステムおよびネットワーク９は、ともに販売形式としてもよい。なお、賃貸形式は、販売形式に比べ、システム導入時の初期投資を安価に抑えられる効果があり、一方、販売形式は、医療施設８に合うシステムの構築を容易にする効果がある。
【００３８】
また、一実施形態は、医療ガイダンスシステムの設置される医療施設８として、ＰＥＴ施設を適用したが、ＳＰＥＣＴ（Ｓｉｎｇｌｅ　Ｐｈｏｔｏｎ　Ｅｍｉｓｓｉｏｎ　Ｃｏｍｐｕｔｅｄ　Ｔｏｍｏｇｒａｐｈｙ）などの他のエミッションＣＴ（Ｃｏｍｐｕｔｅｄ　Ｔｏｍｏｇｒａｐｈｙ）を行う医療施設についても、適用することができる。さらに、医療ガイダンスシステムは、従事者が、被検者に近づいて誘導する際の負担を省くことができるので、伝染病の隔離病棟など、他の医療施設にも適用することができる。
【００３９】
【発明の効果】
本発明により、被検者は、医療ガイダンスクライアント装置を参照することで、医療スケジュールを確認できる。よって、従事者の誘導の手間が省ける。その結果、従事者は、被検者を誘導するために、被検者のそばにいる必要がなくなる。よって、従事者は、放射性薬剤などの影響を、この薬剤を投与された被検者から受けなくて済む。
【図面の簡単な説明】
【図１】本発明の一実施形態に係る医療ガイダンスシステムの構成図である。
【図２】本発明の一実施形態に係る医療ガイダンスシステムの設置される医療施設の構成図である。
【図３】本発明の一実施形態に係る医療ガイダンスシステムにスピーカおよびモニタカメラを付した構成図である。
【図４】本発明の一実施形態に係る医療ガイダンスサーバの構成図である。
【図５】本発明の一実施形態に係る進捗状況表示パネルの構成図である。
【図６】本発明の一実施形態に係る進捗状況入力装置の構成図である。
【図７】本発明の一実施形態に係る携帯装置の構成図である。
【図８】本発明の一実施形態に係る医療スケジュールを示すガントチャートである。
【図９】本発明の一実施形態に係る医療スケジュールを示すガントチャートに進捗状況が付された図である。
【図１０】本発明の一実施形態に係る医療スケジュールを示すガントチャートに進捗状況が付された図である。
【図１１】本発明の一実施形態に係る医療ガイダンスシステムの動作を示すフローチャートである。
【符号の説明】
１…被検者
２…従事者
８…医療施設
９…ネットワーク
３０…医療ガイダンスサーバ
４０…医療ガイダンスクライアント
４１…進捗状況表示パネル
４２…進捗状況入力装置
４３…携帯装置
５１…スピーカ
５２…モニタカメラ
１１１…医療作業表示
１１２…医療待機表示
１１３…医療進捗表示
【図１】
2004110238.tif 000003
【図２】
2004110238.tif 000004
【図３】
2004110238.tif 000005
【図４】
2004110238.tif 000006
【図５】
2004110238.tif 000007
【図６】
2004110238.tif 000008
【図７】
2004110238.tif 000009
【図８】
2004110238.tif 000010
【図９】
2004110238.tif 000011
【図１０】
2004110238.tif 000012
【図１１】
2004110238.tif 000013